(57)【要約】【課題】簡単な操作で確実なバンドの調節を行うことを得る。【解決手段】箱１１と連動するローラー１０に巻かれたバンドを，留め材２、３によって押さえたり、離したりすることによってバンドの調節を行う。【選択図】　図１
2004136037.tif 000002
【特許請求の範囲】
【請求項１】
案内孔（４ａ、４ｂ）を有する側面板（１ａ、１ｂ）の一端には、丸棒による留め材（２、３）を各々固着し、他の一端は、支持棒（５）によって固定し、側面板（１ａ、１ｂ）の中間部に、突起部（６）を有する案内棒（８）を設け、留め材（２・３）に近接して略Ｃ字状の軸棒（９）に嵌め込まれて回動するローラー（１０）及び、該ローラー（１０）と連動する箱（１１）を設けたバンド調節金具において、箱（１１）の両側面に、案内部（１９ａ、１９ｂ）及び係止部（２０ａ、２０ｂ）を、内側に、突起部（７）、固定棒（１２ａ、１２ｂ）及びスプリング（１３）を設け、箱（１１）の前方及び後方の上下の辺に、やや突出した刃形状部（１４ａ、１４ｂ、１５ａ、１５ｂ）を設けて構成したことを特徴とするバンド調節金具。
【請求項２】
留め材（２、３）を略梯形状の断面を有する部材によって構した請求項１記載のバンド調節金具。
【請求項３】
軸棒（９）の、中央部（１６）に、回動可能にローラー（１０）を設け、側部（１７ａ、１７ｂ）は、案内孔（４ａ、４ｂ）を摺動するように取り付け、、端部（１８ａ、１８ｂ）は、箱（１１）の案内部（１９ａ、１９ｂ）に移動可能に取り付け、両先端には、抜け止め用突出部（２１ａ、２１ｂ）を設ける。更に、箱（１１）を、該箱（１１）の案内部（１９ａ、１９ｂ）が軸棒（８）の端部（１８ａ、１８ｂ）及び案内棒（８）を挟むようにしてスプリング（１３）を介して、前後に移動し得るようにし、又、箱（１１）を、スプリング（１３）が収縮する方向に移動させた際には、箱（１１）の係止部（２０ａ、２０ｂ）が案内棒（８）に着脱して、箱（１１）を係止及び開放し得るように構成した請求項１記載のバンド調節金具。
【発明の詳細な説明】
【０００１】
【発明の属する技術分野】
本発明は、バンドの長さの調節を簡便に行う金具に関するものである。
【０００２】
【従来の技術】
従来、バンドの長さを調節する金具としては、バンドに設けた穴に棒を差し込み，穴の位置を変えることによって調節するものをはじめ、各種の金具があるが，金具にかなりの厚さがあるためにバンドの表面から盛り上がってしまうものやバンドが折り曲がると容易に調節金具からバンドが抜けて緩んでしまうものなどがあり、美観と信頼性に欠けるものも少なくないように思われる。
【０００３】
【発明が解決しようとする課題】
本発明は前述のような問題点に鑑みて成されたものであり、比較的薄型のフレーム内に箱形の部分を設け、これを移動させて係止又は開放を交互に行えるようにして、簡単、且つ、確実にバンドの調節を行う金具を提供しようとするものである。
【０００４】
【課題を解決するための手段】
上記の目的を達成するために、案内孔を有する側面板の一端には、丸棒による留め材を各々固着し、他の一端は、支持棒によって固定し、側面板の中間部に、突起部を有する案内棒を設け、留め材に近接して略Ｃ字状の軸棒に嵌め込まれて回動するローラー及び、該ローラーと連動する箱を設けたバンド調節金具において、箱の両側面に、案内部及び係止部を、内側に、突起部、固定棒及びスプリングを取り付け、箱の前方及び後方の上下の辺に、やや突出した刃形状部を設けて成るものである。
【０００５】
上記の留め材とローラーとの位置関係は、バンドを締める際は適度に接近し、バンドを緩めるときは適度な間隔を保つようにすることが好ましく、このためには案内棒と係止部とが適切な間隔に保たれるように構成すると良い。
【０００６】
そして、ローラーの円滑な回転や、軸棒の側部と側面板の案内孔、箱の案内部と軸棒の端部及び案内棒との摩擦をできるだけ少なくするようにし、適度な弾性を有するスプリングを使用することによって容易に、且つ、確実にバンドの調節を行うことができる。
【０００７】
又、留め材の形状は丸棒及び略梯形状の断面を有する部材とする他、平形状のものを用いることもでき、更に、側面板は平形状のものの他、丸棒を用いても良い。
【０００８】
そして、本器具全体を金属製の材料を加工して構成する他、合成樹脂材料を用いて構成することも可能である。
【０００９】
【発明の実施の形態】
発明の実施の形態について、図面を参照して説明する。
図１において、留め材２、３は側面板１ａ、１ｂに溶接によって固着されている。又、箱１１は固定棒１２ａ、１２ｂによって固定されている。
【００１０】
図２においては、軸棒９の中央部１６には、ローラー１０が嵌め込まれ、側部１７ａ、１７ｂは、案内孔４ａ、４ｂの外側からやや突き出て設けられている。又、側面板１ａ、１ｂに、支持棒５の両端が、かしめて取り付けられ、更に案内棒８が回動可能に取り付けられている。そして、突起部６、７は、箱１１の前部及び案内棒８の中央に溶接によって固着されて、スプリング１３が嵌め込まれている。
【００１１】
図３において、箱１１の前部、後部には、刃形状部１４ａ、１４ｂ、１５ａ、１５ｂが設けられている。又、箱１１の案内部１９ａが軸棒９の端部１８ａ及び案内棒８を挟むようにして設けられ、そして、箱１１が移動して係止部２０ａが案内棒８によって係止される状態が鎖線で示されている。
【００１２】
図４において、箱１１が固定棒１２ａ、１２ｂによって、かしめられている。又、、抜け止め用突出部２１ａ、２１ｂ、は、案内部１９ａ、１９ｂの内側に設けられて軸棒の抜け止めとなっている。
【００１３】
図５においては、留材２、３に、断面が略梯形状の部材を用いた実施例を示している。
【００１４】
【発明の効果】
本発明は、以上説明したように構成されているので、以下に記載されているような効果を得ることができる。
【００１５】
箱１１の上面側及び下面側、或いは、軸棒９の側部１７ａ及び１７ｂを押さえながら、又は、刃形状部を掛けるようにして箱１１を移動させて係止部２０ａ、２０ｂによって係止させて一方のバンドを引くことにより容易にバンドを締めることができ，調節後は係止部２０ａ、２０ｂを案内棒８からはずして箱１１を開放すると，バンドは確実に固定される。
【００１６】
そして、バンドを緩める際は箱１１を僅かに移動させることによって、行うことができる。
【図面の簡単な説明】
【図１】バンド調節金具の斜視図である。
【図２】バンド調節金具の要部縦断図である。
【図３】バンド調節金具の要部縦断図であり、箱が移動して係止される状態を鎖線で示す。
【図４】バンド調節金具の要部横断図である。
【図５】留め材に，略梯形状の断面を有する部材を用いた実施例を示す要部縦断図である。
【符号の説明】
１ａ、１ｂ　　側面板
２、３　　　　留め材
４ａ、４ｂ　　案内孔
５　　　　　　支持棒
６、７　　　　突起部
８　　　　　　案内棒
９　　　　　　軸棒
１０　　　　　　ローラー
１１　　　　　　箱
１２ａ，１２ｂ　固定棒
１３　　　　　　スプリング
１４ａ，１４ｂ，１５ａ，１５ｂ　刃形状部
１６　　　　　　軸棒９の中央部
１７ａ，１７ｂ　軸棒９の側部
１８ａ，１８ｂ　軸棒９の端部
１９ａ，１９ｂ　箱１０の案内部
２０ａ，２０ｂ　箱１０の係止部
２１ａ，２１ｂ　抜け止め用突出部
２２　　　　　　バンド
２３　　　　　　バンドの止め金
【図１】
2004136037.tif 000003
【図２】
2004136037.tif 000004
【図３】
2004136037.tif 000005
【図４】
2004136037.tif 000006
【図５】
2004136037.tif 000007